(57)【要約】  ホームエンターテインメントネットワークは、コンピュータ（１４）と、ハードディスクドライブ（ＨＤＤ）（１６）からのコンテンツをストレージのために転送できる複数のＤＶＤ（２０）を収容するマルチＤＶＤディスクチェンジャ（１８）とを備える。また、ＤＶＤコンテンツは、ＨＤＤ（１６）にリッピングでき、ＨＤＤ（１６）上家庭用ビデオ及び写真データの複数のコピーを複数の光ディスク（２０）に同時に作成することができる。
2007520840.tif 000002
【特許請求の範囲】
【請求項１】
少なくとも第１のビデオモニタ（１２）と、
上記第１のビデオモニタ（１２）と通信する少なくとも１つのコンピュータ（１４）と、
複数の光ディスク（２０）を収容する少なくとも１つのディスクチェンジャ（１８）と、
上記コンピュータ（１４）に接続された少なくとも１つのハードディスクドライブ（ＨＤＤ）（１６）とを備え、
上記ＨＤＤ（１６）において、所定のデータ記録条件が満たされると、該ＨＤＤ（１６）内のコンテンツは、上記ディスクチェンジャ（１８）内の少なくとも１つの光ディスク（２０）に自動的に転送されるホームエンターテインメントシステム。
【請求項２】
上記第１のビデオモニタは、テレビジョンモニタであり、上記コンピュータ（１４）は、コンピュータモニタ（３０）を含むことを特徴とする請求項１記載のホームエンターテインメントシステム。
【請求項３】
上記テレビジョンモニタは、高精細度テレビジョン（ＨＤＴＶ）モニタであることを特徴とする請求項２記載のホームエンターテインメントシステム。
【請求項４】
上記光ディスク（２０）は、少なくとも幾つかのＤＶＤを含むことを特徴とする請求項３記載のホームエンターテインメントシステム。
【請求項５】
上記コンピュータ（１４）は、上記複数の光ディスク（２０）から、コンテンツを上記ＨＤＤ（１６）に、実質的に同時にコピーするように制御できることを特徴とする請求項１記載のホームエンターテインメントシステム。
【請求項６】
上記コンピュータ（１４）は、上記ＨＤＤ（１６）上のコンテンツを上記複数の光ディスク（２０）に実質的に同時にコピーするように制御できることを特徴とする請求項１記載のホームエンターテインメントシステム。
【請求項７】
上記モニタ（１２、３０）は、遠隔制御装置（２６）を操作して上記ディスクチェンジャ（１８）内の光ディスク（２０）に保存されたコンテンツのタイトルをスクロールする個人が使用可能なディスク閲覧画面（４０）を表示することを特徴とする請求項１記載のホームエンターテインメントシステム。
【請求項８】
上記コンピュータ（１４）は、インターネット（３２）に接続可能であり、該インターネット（３２）にアクセスし、上記ディスクチェンジャ（１８）内の少なくとも１つの光ディスク（２０）の少なくとも１つのタイトルに関するメタデータをダウンロードすることを特徴とする請求項１記載のホームエンターテインメントシステム。
【請求項９】
上記コンピュータ（１４）は、上記ディスクチェンジャ（１８）内の少なくとも１つの光ディスク（２０）の少なくとも１つの識別情報を少なくとも部分的に用いて、インターネット（３２）に自動的にアクセスし、上記光ディスク（２０）に関係するメタデータをダウンロードすることを特徴とする請求項８記載のホームエンターテインメントシステム。
【請求項１０】
上記モニタ（１２、３０）は、遠隔制御装置（２６）を操作して上記ディスクチェンジャ（１８）内の光ディスク（２０）に保存されたコンテンツに自動的にインデクスを付与する個人が使用可能なディスクインデクス付与画面（５０）を表示することを特徴とする請求項１記載のホームエンターテインメントシステム。
【請求項１１】
少なくとも１つのテレビジョン受像機（１２）と、
上記テレビジョン（１２）と通信する少なくとも１つのポータブルコンピュータ（１４）と、
複数の光ディスク（２０）を収容し、上記ポータブルコンピュータ（１４）と通信する少なくとも１つのディスクチェンジャ（１８）と、
インターネット（３２）から上記ディスクチェンジャ（１８）内の少なくとも１つの上記光ディスク（２０）に保存される少なくとも１つのビデオコンテンツに関係するメタデータを自動的にダウンロードするダウンロード手段（１４）とを備えるホームエンターテインメントシステム。
【発明の詳細な説明】
【技術分野】
【０００１】
本発明は、ホームエンターテインメントネットワークに関する。
【背景技術】
【０００２】
ホームエンターテインメントシステムにより、ユーザはケーブル又は衛星からのテレビジョンコンテンツ、ＣＤからの楽曲、ＤＶＤ及びビデオテープに記録された映画等の複数のソースから娯楽コンテンツにアクセスすることができる。また、多くのシステムは、パーソナルビデオレコーダ（ＰＶＲ）を備えており、これにより、ユーザは、後の視聴のために、テレビジョン放送されたコンテンツをハードディスクドライブ（ＨＤＤ）に記録することができる。
【０００３】
上述した機能を提供するホームエンターテインメントシステムにより、ユーザは、偶然放送された何らかのコンテンツを単純に視聴するだけではなく、様々な楽しみを享受できるようになった。例えば、ＰＶＲにより、ユーザは、テレビ番組を録画し、後に都合がよい時間に視聴することができ、コマーシャルを見る必要もなくなった。また、例えばＤＶＤ等の高度なデジタルシステムにより、ユーザは、家庭用のビデオ及びデジタル写真等、私的なコンテンツを見ることもできるようになった。簡潔に言えば、ユーザは、多くのソースからコンテンツを選択し、視聴及びコピーできるようになった。
【０００４】
一方、コンテンツ及びメディアタイプの種類の増加により、娯楽の選択肢は増えたが、コンテンツ管理に関する問題も浮上している。現在、ホームエンターテインメントシステムのコンテンツは、メディアタイプ毎に管理しなければならず、このため、ユーザは、ＤＶＤコンテンツをＰＶＲコンテンツとは別に管理する必要があり、不便である。アクセス速度及び利便性の観点から、１つの種類の媒体に保存されているコンテンツを、他の種類の媒体に関連しているコンポーネントを用いて再生又は保存できるようにすることが望ましい。例えば、ＰＶＲに記録されたコンテンツをＤＶＤにオフロードし、ＰＶＲのＨＤＤの記録領域を解放することが望まれる場合がある。或いは、アクセス速度を高めるために、ＣＤからＰＶＲのＨＤＤに音楽データを転送することが望ましい場合もあれば、記憶容量の理由から、ＰＶＲのＨＤＤからＣＤに音楽データを転送することが望まれる場合もある。更に、全てのコピーについて同じようなコピー作業を繰り返すことなく、友人及び家族のために、ホームムービー又は写真データの幾つかのコピーを作成することが望まれる場合もある。
【発明の開示】
【課題を解決するための手段】
【０００５】
ホームエンターテインメントシステムは、ビデオモニタと、このビデオモニタと通信するコンピュータを備える。更に、ホームエンターテインメントシステムは、複数の光ディスクを収容するディスクチェンジャを備える。コンピュータには、ハードディスクドライブ（ＨＤＤ）が接続される。ＨＤＤにおいて、所定のデータ記録条件が満たされると、ＨＤＤ内のコンテンツは、ディスクチェンジャ内の少なくとも１つの光ディスクに自動的に転送される。
【０００６】
ビデオモニタは、例えば、高精細度テレビジョン（high definition TV：ＨＤＴＶ）モニタ等のテレビジョンモニタであってもよく、コンピュータは、コンピュータモニタを備えてもよい。光ディスクは、ＣＤ及び／又はＤＶＤを含んでいてもよい。コンピュータは、複数の光ディスクから、コンテンツをＨＤＤに、実質的に同時にコピーするように制御できるように構成してもよく、ＨＤＤ上のコンテンツを複数の光ディスクに実質的に同時にコピーするように制御できるように構成してもよい。
【０００７】
幾つかの実施の形態では、モニタは、遠隔制御装置を操作してディスクチェンジャ内の光ディスクに保存されたコンテンツのタイトルをスクロールする個人が使用可能なディスク閲覧画面を表示する。コンピュータは、インターネットに接続してもよく、コンピュータは、（例えばディスク識別情報を用いて）インターネットにアクセスし、ディスクチェンジャ内の少なくとも１つの光ディスク内の少なくとも１つのタイトルに関するメタデータをダウンロードしてもよい。更に、モニタは、遠隔制御装置を操作してディスクチェンジャ内の光ディスクに保存されたコンテンツに自動的にインデクスを付与する個人が使用可能なディスクインデクス付与画面を表示してもよい。
【０００８】
他の側面として、ホームエンターテインメントシステムは、テレビジョンと、テレビジョン及びディスクチェンジャと通信するポータブルコンピュータを備える。このホームエンターテインメントシステムは、インターネットからディスクチェンジャ内の少なくとも１つの光ディスクに保存される少なくとも１つのビデオコンテンツに関係するメタデータを自動的にダウンロードするダウンロード手段を備える。
【０００９】
更に他の側面として、ホームエンターテインメントシステムは、ポータブルコンピュータと、このポータブルコンピュータと無線通信する高精細度テレビジョンとを備える。更に、ポータブルコンピュータは、ディスクチェンジャにも接続される。ディスクチェンジャは、複数の光ディスクを収容するように構成され、これらの光ディスクのうちの少なくともそれの幾つかは、ＤＶＤであってもよい。また、ポータブルコンピュータは、ハードディスクドライブ（ＨＤＤ）にも接続される。
【００１０】
本発明の詳細、その構造及び動作は、添付の図面を参照して説明され、添付の図面では、同様の部分に同様の符号を付している。
【発明を実施するための最良の形態】
【００１１】
図１に示すシステム１０は、例えば高精細度テレビジョン（high definition TV：ＨＤＴＶ）であるテレビジョン（ＴＶ）１２と、コンピュータ１４とを備える。コンピュータ１４は、１つ以上のハードディスクドライブ（ＨＤＤ）１６にアクセスする。また、コンピュータ１４は、例えばＤＶＤプレーヤ及びＤＶＤディスクバーナ１９を備えるディスクチェンジャ１８にアクセスし、ディスクチェンジャ１８は、複数の（例えば、４００枚の）光ディスク２０を収容し、これらの光ディスク２０には、コンパクトディスク（ＣＤ）、デジタルビデオディスク（ＤＶＤ）及び他の種類のディスク、例えば、ブルーレイディスク及びスーパーオーディオＣＤが含まれる。コンピュータ１４は、キーボード２２及び／又はマウス２４等の入力装置を始めとして、例えば、音声認識装置等の他の入力装置を備えてもよい。また、遠隔制御装置２６を用いて、コンピュータ１４及び／又は好ましくは、テレビジョン１２にコマンドを入力できる。コンピュータ１４は、必要に応じて、コンピュータモニタ３０及びテレビジョン１２に表示画面データを出力することができる。
【００１２】
図１に示すように、コンピュータ１４は、後述するような目的のために、インターネット３２と通信できる。また、コンピュータ１４は、セットトップボックス、衛星電波受信装置又は地上波テレビジョン信号アンテナ等のテレビジョンコンテンツ受信機３４と通信できる。
【００１３】
本発明では、通信パスは、有線パスであってもよいが、好ましくは、無線パスであり、より好ましくは、見通し通信が不要な、例えば、ブルートゥースパス等、無線周波数（ＲＦ）を用いるが、必要であれば、赤外線（ＩＲ）通信を用いてもよい。したがって、コンピュータ１４は、無線周波数通信モジュール３６を備えてもよく、マウス２４及びキーボード２２の両方がコンピュータ１４と無線通信を行ってもよい。遠隔制御装置２６も無線通信を行ってもよく、好ましくは、無線周波数通信を行う。更に、コンピュータ１４及びテレビジョン１２の間のリンクは、無線であってもよく、従来の赤／緑／青（ＲＧＢ）プロトコルを用いてもよく、又はリンクは、Ｓ−ビデオプロトコル又はコンポーネント接続を用いてもよく、又はリンクは、高精細度マルチメディアインタフェース（High Definition Multimedia Interface：ＨＤＭＩ）／デジタルビジュアルインタフェース（Digital Visual Interface：ＤＶＩ）プロトコルを用いてもよい。図１では、コンピュータ１４は、テレビジョン１２に直接接続されているが、特に、テレビジョンコンテンツ受信機３４がセットトップボックスである場合、コンピュータ１４及びテレビジョン１２の間の通信パスは、これに代えて、テレビジョンコンテンツ受信機３４を介して接続してもよい。
【００１４】
図１に示す例示的な構成では、コンピュータ１４は、ディスクチェンジャ１８及び他の様々なコンポーネントと同じ筐体に収容されているが、コンピュータ１４は、ディスクチェンジャ１８及び図１に示す幾つかの他のコンポーネントとは別の筐体に収容し、ディスクチェンジャ１８及び他のコンポーネントと通信するように構成してもよい。例えば、一実施形態においては、コンピュータ１４は、ＨＤＤ１６が組み込まれた、例えば、ＰＣ又はラップトップコンピュータ等のポータブルコンピュータであってもよい。或いは、ＨＤＤ１６は、コンピュータ１４から独立したパーソナルビデオレコーダ（personal video recorder：ＰＶＲ）であってもよい。非制限的な具体例として、コンピュータ１４は、本明細書に開示する本発明に基づく側面を実現するようにプログラミングされた、ソニー株式会社のＶＡＩＯ（商標）ラップトップコンピュータであってもよい。
【００１５】
図２は、システム１０の電源投入時に表示される開始画面（スタートアップメニュー画面）３８の一例を示している。図２に示すスタートアップメニュー画面３８は、以下に説明する他の画面と同様、テレビジョン１２、モニタ２８又はこれらの両方に表示することができる。図２に示すように、スタートアップメニュー画面３８は、選択肢のメニューを含んでいてもよく、ユーザは、このメニューから、例えば、遠隔制御装置２６の上下の矢印キーを操作し、所望の選択肢を強調表示させた状態で、遠隔制御装置２６の「入力」ボタンを押下することにより、所望の選択肢を選択することができる。或いは、コンピュータ１４のキーボード２２及び／又はマウス２４を用いてこの選択を行ってもよい。いずれの場合も、後述する動作は、画面に対するユーザの選択に応じて、コンピュータ１４によって制御される。
【００１６】
例示的なスタートアップメニューは、「マイテレビジョン（my TV）」選択肢を含んでいてもよく、この選択肢を選択することにより、例えば、電子番組ガイド（electronic program guide：ＥＰＧ）等のテレビジョンチャンネルリストが表示され、これにより、ユーザは、テレビジョン１２に表示するチャンネルを選択できる。またユーザは、「マイテレビジョン」選択肢を用いて、後に視聴するために、特定の番組を選択し、ＨＤＤ１４に自動録画するよう指定でき、すなわち、システム１０を用いて、テレビジョン放送されたコンテンツの視聴時間をシフトさせることができる。
【００１７】
また、図２に示すスタートアップメニュー画面３８は、「マイミュージック（my music）」選択肢を含んでいてもよく、この選択肢を選択すると、例えば、ディスクチェンジャ１８に収納されているＣＤのリストが表示される。また、例えば、ＨＤＤに保存されている音楽タイトル及び音楽だけを放送するテレビジョンのチャンネルをリストに表示してもよく、これにより、ユーザは、保存されている音楽タイトル及びテレビジョンの音楽チャンネルの両方をスクロールし、所望のタイトルを選択し、例えば、テレビジョン１２のオーディオスピーカから再生させることができる。ＣＤが選択された場合、ディスクチェンジャ１８に接続されているＤＶＤプレーヤが選択されたＣＤを再生してもよい。
【００１８】
更に、スタートアップメニュー画面３８は、ユーザが、オーディオＣＤ又はＣＤ−ＲＯＭ（又はビデオＤＶＤ又はＤＶＤ−ＲＯＭ）を作成するために、ディスクチェンジャ１８内の空のＣＤ又はＤＶＤを選択できる選択肢を含んでいてもよく、更に、必要であれば、ＲＯＭとして定義されたディスクをコンピュータ１４のドライブとして定義する選択肢を含んでいてもよい。更に、スタートアップメニュー画面３８は、図３に関して後述する「ディスク閲覧」選択肢、図４に関して後述する「ディスク再生」選択肢、図５に関して後述する「チェンジャユーティリティ」選択肢、図６に関して後述する「ディスクインデクス付与」選択肢を含んでいてもよい。また、スタートアップメニュー画面３８の「設定」選択肢を選択することにより、システム設定を確認することができる。
【００１９】
図３は、図２に示すスタートアップメニュー画面３８の「ディスク閲覧」選択肢が選択された場合に表示される「ディスク閲覧」画面４０を示している。ここでは、ディスクチェンジャ１８のＤＶＤに記録されている映画タイトルのリストが表示される。例えば、ＤＶＤチェンジャのスロット＃２３２に挿入されているＤＶＤに記録されている映画として映画「スパイダーマン（Spiderman）」のタイトルが表示される。この具体例では、スロット＃２３３には、ＤＶＤが挿入されておらず、スロット＃２３４は、映画「メンインブラック（Men in Black）」が記録されたＤＶＤが挿入されている。スロット＃２３５には、空のＤＶＤが挿入されている。図３に示す例では、ユーザは、現在、スロット＃２３４に対応する「メンインブラック」を示すラインにカーソルを置いている。いずれの場合も、ユーザは、ディスク閲覧画面を用いて、ディスクチェンジャ１８内の各スロットのコンテンツをレビューすることができる。
【００２０】
また、閲覧画面４０には、プレーウィンドウ４２を重ねて表示できる。図３に示すように、プレーウィンドウ４２は、「再生」の選択肢を含み、この選択肢が選択されると、閲覧画面４０でディスクチェンジャ１８のＤＶＤプレーヤによって、強調表示されている選択肢が再生され、テレビジョン１２に表示される。また、ユーザが「更新」選択肢を選択すると、コンピュータ１４が、インターネットを介して、強調表示されているタイトルに関するメタデータに自動的にアクセスし、例えば、ＤＶＤディスクバーナ１９を用いてこのメタデータを関連するＤＶＤに保存する。このメタデータは、映画の制作年及び監督等に関する情報、バックグラウンドコンテンツ／ビデオ等を含むことができる。ＤＶＤを更新する場合、コンピュータ１４は、選択されたディスクのディスクＩＤを引数として用いて、コンテンツプロバイダのウェブサイトに接続する。選択されたディスクがＣＤである場合、ユーザに対して、ＨＤＤ１６にコンテンツをコピーするメニュー選択肢を提示することもできる。
【００２１】
図２に示すスタートアップメニュー画面３８から「ディスク再生」選択肢が選択されると、図４に示す画面４４が表示される。図４に示すように、画面４４は、ディスクチェンジャ１８内のＤＶＤの映画タイトルのメニューを含む。未使用のチェンジャスロット又は空のＤＶＤは表示されない。ユーザは、リストをスクロールし（又はタイトルの最初の１〜２文字を入力することによって、そのタイトルまでジャンプすることもできる。）、再生するタイトルを選択できる。
【００２２】
図５は、「チェンジャユーティリティ」画面４６の一例を示している。画面４６を用いるユーザは、「ＣＤ自動リッピング」を選択でき、これにより、ウィンドウ４８が表示され、ユーザは、例えば、ＡＴＲＡＣ又はＭＰ３等、特定のオーディオデータファイルフォーマットを選択できる。フォーマット及び自動リッピング機能の選択により、ディスクチェンジャ１８内のＣＤ又はＤＶＤからの音楽ファイルは、選択されたフォーマットで符号化され、図１に示すＨＤＤ１６に自動的にコピーされる。必要であれば、ディスクチェンジャ１８内のディスクに保存された全ての音楽ファイルをＨＤＤ１６にリッピングしてもよく、又は、ユーザの希望に応じて、選択されたファイルのみをＨＤＤ１６にリッピングしてもよい。ユーザは、「詳細設定」選択肢を選択することにより、ビットレート、フォルダ位置及び他の設定を定義することができる。また、ユーザは、「空ディスク」選択肢を選択することにより、ディスクチェンジャ１８内の空ディスクのフォーマット及び他の設定を見ることができる。
【００２３】
図６は、例示的なディスクインデクス付与画面５０を示している。図６に示すように、システム１０が全ての種類（例えば、オーディオＣＤ、ＣＤ−ＲＯＭ、ＡＴＲＡＣ３−ＣＤ、ＭＰ３ＣＤ、ＤＶＤビデオ、ＤＶＤ−ＲＯＭ、書込可能ＣＤ、書込可能ＤＶＤ）及び全てのディスクＩＤのディスクをスキャンする自動検出機能を選択できる。システム１０は、タイトル及び／又はディスクＩＤを適切なチェンジャスロット番号に関連付ける。この機能は、ディスクチェンジャをディスクにロードした後に、最初の使用時に実行することが推奨される。また、システム１０は、追加的メタデータについて、各ディスクをスキャンし、ディスクＩＤに基づいて、インターネットのコンテンツプロバイダサイトにおいてアクセス可能な最新のインデクスデータベースに示されているメタデータと異なるメタデータがあるかを判定する。異なるメタデータがある場合、コンピュータ１４は、上述した原理に基づいて、インターネットから新たなメタデータを自動的に取得する。これに代えてユーザは、「手動検出」機能を選択してもよく、この場合、ユーザは、ディスクチェンジャ１８にロードされた各ディスクについて、スロット番号及びディスクＩＤをマニュアルで入力する必要がある。例えば、システム１０がメタデータを検出できない場合、ユーザに対して、この手動検出の入力が促される。ユーザがコンテンツを速やかに再生することを望む場合、検出処理は、ユーザによっていつでも取り消すことができ、この場合、ユーザに対し、検出処理を再開するよう、定期的に入力を促すことができる。
【００２４】
図７は、システム１０の更なる動作ロジックを示す例示的なフローチャートである。このフローチャートは、ブロック５２から開始され、ここで、光ディスク２０をディスクチェンジャ１８にロードする。ブロック５４において、コンピュータ１４は、インターネットに自動的にアクセスし、上述した原理に基づき、例えば、ディスクＩＤを用いてディスクメタデータを取得する。コンピュータ１４は、図６に示すディスクインデクス付与画面５０からの「自動検出」コマンドに応答するだけではなく、ユーザコマンドがなくても、インターネットから定期的にメタデータを取得するように設定することもできる。
【００２５】
ブロック５６では、例えば、テレビジョン放送されたコンテンツ、デジタル写真、デジタル家庭用ビデオ等のコンテンツをＨＤＤ１６から受け取る。コンピュータ１４は、判定ブロック５８において、定期的に、ＨＤＤ１６において所定のデータ記録条件が満たされているかを判定し、これに該当する場合、ロジックは、ブロック６０に移行し、ＨＤＤ１６から、ディスクチェンジャ１８の１つ以上のディスクにコンテンツを自動的にオフロードする。このデータストレージのための記録条件とは、以下に限定されるものではないが、例えば、ＨＤＤ１６に記録されているデータ量が、総容量の所定の割合に達した場合等である。
【００２６】
図８及び図９は、上述した機能の幾つかを表している。具体的には、図８のブロック６２において、ユーザは、ディスクコンテンツ、例えば、オーディオデータファイルをＨＤＤ１６にコピーするコマンドを入力でき、ブロック６４において、関連する全ての光ディスク２０が、実質的に同時にコピーされる。「実質的に同時」とは、単一のシームレスな処理で、全てのＣＤ上の全ての楽曲、又はユーザによって選択され楽曲のみが、例えば、光ディスク２０のコンテンツを多重化することによってＨＤＤ１６にコピーされることを意味する。
【００２７】
図９のブロック６６は、ユーザがＨＤＤ１６から１つ以上の光ディスク２０にコンテンツをオフロード又はコピーするコマンドを入力できることを意味する。ブロック６８では、選択されたＨＤＤファイルを、ディスクチェンジャ１８内の任意の数の光ディスク２０に実質的に同時にコピーできる。例えば、システム１０により、ユーザは、ＨＤＤ１６内の家庭用ビデオファイルを選択し、ユーザがビデオデータをコピーすることを望むディスクの数を選択することができる。そして、ディスクチェンジャ１８内の選択された数のディスクにビデオデータがコピーされる。
【００２８】
以上、本発明に基づく特定のマルチメディアホームネットワークコンピュータについて詳細に説明したが、ここに説明した具体例は、本発明の好ましい実施の形態及び本発明によって意図される広範な手段を代表するものであり、本発明の範囲は、他の具体例をも包含することは当業者にとって明らかであり、したがって、本発明の範囲は、添付の請求の範囲によってのみ制限される。特許請求の範囲において、単数で記載される構成要素は、明確な記載がない限り「単一のみ」を意味するのではなく、「１以上」を意味する。上述の好ましい実施形態の構成要素の構造上及び機能上の同等物で、当業者にとって知られているもの又は後に知られることになるものについては、ここで参照することにより明示的に援用し、本願の特許請求の範囲に含まれるものとする。また、装置又は方法を本願の特許請求の範囲に含めるために、その装置又は方法が、本発明により解決されるべき個々の課題に一々対応する必要はない。更に、本願における構成要素、構成部品、方法のステップは、いずれも、特許請求の範囲に明示的に記載されているか否かに関わらず公開されるものではない。特許請求の範囲において用いられる用語は、特別な定義がなされていない場合、本明細書及びファイル履歴に矛盾しない通常の慣用的な意味で解釈される。
【図面の簡単な説明】
【００２９】
【図１】本発明に基づくシステムのブロック図である。
【図２】開始画面を示す図である。
【図３】ディスク閲覧画面を示す図である。
【図４】ＤＶＤ再生画面を示す図である。
【図５】チェンジャユーティリティ画面を示す図である。
【図６】ディスクインデクス付与画面を示す図である。
【図７】管理ロジック全体のフローチャートである。
【図８】光ディスクコンテンツをＨＤＤにコピーするためのロジックのフローチャートである。
【図９】ＨＤＤコンテンツを光ディスクにコピーするためのロジックのフローチャートである。
【図１】
2007520840.tif 000003
【図２】
2007520840.tif 000004
【図３】
2007520840.tif 000005
【図４】
2007520840.tif 000006
【図５】
2007520840.tif 000007
【図６】
2007520840.tif 000008
【図７】
2007520840.tif 000009
【図８】
2007520840.tif 000010
【図９】
2007520840.tif 000011
【国際調査報告】
2007520840.tif 000012
2007520840.tif 000013
2007520840.tif 000014